(57)【要約】【課題】  情報処理装置を起動不可とすることができるようにすること。【解決手段】  もっともレベルの低いデータ消去である場合、ＨＤＤ内に格納されたデータの完全消去をＢＩＯＳからＨＤＤデバイスに対して、ＢＩＯＳが提供しているDISK Service Functionを用いて、ダミーデータの書き込み後、全面初期化を行い、完全消去する。レベル中位の消去が実行された場合は、ＢＩＯＳは、ＨＤＤのデータ消去に加えて、ＣＭＯＳ／フラッシュＲＯＭに格納されている装置構成（configuration）情報を、フラッシュＲＯＭ内に格納されている出荷直後の設定情報に書き換える。レベル高位の消去の場合には、目的が装置自身の再利用不可としたガードをかけるべき廃棄となるので、ＢＩＯＳは、これまでのデータ消去機能に追加して、フラッシュＲＯＭ内のＢＩＯＳ自身をも破壊し、装置そのものが起動しないように完全な保護をかける。【選択図】      図２
2005301548.tif 000002
【特許請求の範囲】
【請求項１】
データ消去機能を持つ基本入出力システムによって情報処理装置のデータの消去処理を行うデータ消去装置であって、
前記基本入出力システムは、前記データ消去機能を使用して、複数のデータ消去レベルのうちの１つを選択してデータの消去処理が実行可能であり、前記複数のデータ消去レベルの内の最高消去レベルは、前記基本入出力システム自身をも破壊する完全廃棄消去レベルであり、
該完全廃棄消去レベルが選択された場合には、前記基本入出力システムは、前記データ消去機能を使用して当該基本入出力システム自身をも破壊して、前記情報処理装置を起動不可能とすることを特徴とするデータ消去装置。
【請求項２】
前記複数のデータ消去レベルの内の最低消去レベルは、ハードディスクドライブのデータのみを消去するレベルである、請求項１に記載のデータ消去装置。
【請求項３】
前記複数のデータ消去レベルの内の中位消去レベルは、前記ハードディスクドライブのデータを消去すると共に、装置設定情報を出荷直後の設定情報に書き換えるレベルである、請求項２に記載のデータ消去装置。
【請求項４】
データ消去機能を持つ基本入出力システムによって情報処理装置のデータの消去処理を行うデータ消去方法であって、
利用者に装置情報消去／初期化メニューを提示して複数のデータ消去レベルの１つを指定させる指定ステップであって、前記複数のデータ消去レベルは、ハードディスクドライブのデータのみを消去する最低消去レベルと、前記ハードディスクドライブのデータを消去すると共に、装置設定情報を出荷直後の設定情報に書き換える中位消去レベルと、基本入出力システム自身をも破壊する最高消去レベルとを少なくとも含む、前記指定ステップと、
前記複数のデータ消去レベルの内、前記利用者によって指定された消去レベルのデータ消去を実行する実行ステップと
を含むデータ消去方法。
【請求項５】
前記指定ステップにおいて前記最高消去レベルが指定された場合、前記実行ステップは、前記データ消去機能を使用して当該基本入出力システム自身をも破壊して、前記情報処理装置を起動不可能とすることを特徴とする請求項４に記載のデータ消去方法。
【請求項６】
前記指定ステップにおいて前記最低消去レベルが指定された場合、前記実行ステップは、前記データ消去機能を使用して前記ハードディスクドライブ内に格納されたデータの完全消去を実行することを特徴とする請求項４に記載のデータ消去方法。
【請求項７】
前記指定ステップにおいて前記中位消去レベルが指定された場合、前記実行ステップは、前記データ消去機能を使用して前記ハードディスクドライブのデータ消去に加えて、装置設定情報を出荷直後の設定情報に書き換えることを特徴とする請求項４に記載のデータ消去方法。
【請求項８】
情報処理装置のデータの消去処理を行うデータ消去機能を持つ基本入出力システムであって、前記情報処理装置に、
利用者に装置情報消去／初期化メニューを提示して複数のデータ消去レベルの１つを指定させる指定機能であって、前記複数のデータ消去レベルは、ハードディスクドライブのデータのみを消去する最低消去レベルと、前記ハードディスクドライブのデータを消去すると共に、装置設定情報を出荷直後の設定情報に書き換える中位消去レベルと、基本入出力システム自身をも破壊する最高消去レベルとを少なくとも含む、前記指定機能と、
前記複数のデータ消去レベルの内、前記利用者によって指定された消去レベルのデータ消去を実行する実行機能と
を実現させるための基本入出力システム。
【請求項９】
前記指定機能において前記最高消去レベルが指定された場合、前記実行機能は、前記データ消去機能を使用して当該基本入出力システム自身をも破壊して、前記情報処理装置を起動不可能とすることを特徴とする請求項８に記載の基本入出力システム。
【請求項１０】
前記指定機能において前記最低消去レベルが指定された場合、前記実行機能は、前記データ消去機能を使用して前記ハードディスクドライブ内に格納されたデータの完全消去を実行することを特徴とする請求項８に記載の基本入出力システム。
【請求項１１】
前記指定機能において前記中位消去レベルが指定された場合、前記実行機能は、前記データ消去機能を使用して前記ハードディスクドライブのデータ消去に加えて、装置設定情報を出荷直後の設定情報に書き換えることを特徴とする請求項８に記載の基本入出力システム。
【発明の詳細な説明】
【技術分野】
【０００１】
本発明は、基本入出力システム（ＢＩＯＳ：Basic Input/Output System）に関し、特に、ＢＩＯＳを利用してデータを消去するデータ消去装置、データ消去方法に関する。
【０００２】
尚、ＢＩＯＳとは、コンピュータに接続されている各種デバイスを制御するプログラムのことをいう。オペレーティング・システム（ＯＳ）は直接デバイスをコントロールするのでなく、ＢＩＯＳの機能を呼び出すことで制御する。キーボードやフレキシブルディスク・ドライブ（ＦＤＤ）、ハードディスク・ドライブ（ＨＤＤ）など基本的なデバイスについては、マザー・ボード上のシステムＢＩＯＳにより制御する。
【背景技術】
【０００３】
昨今、パーソナルコンピュータ（ＰＣ）やサーバなどのオフィス機器の廃棄やリサイクル（再資源化）が増えている。この中で、情報処理装置に保存／設定されていた情報の削除や初期出荷状態に戻す作業の煩雑さから、装置情報を削除しないままでの再利用などによる、企業や個人情報の漏洩が問題となっている。
【０００４】
詳述すると、リフレッシュＰＣ(サーバ)などの中古売買や、廃棄処分サービスなどがビジネスとして立ち上がり、企業や個人情報の漏洩が問題となっている。これは、廃棄やリサイクルによって、サーバに残っている情報が比較的容易に閲覧できてしまうためである。
【０００５】
この理由は、前利用者が、廃棄設備から情報を吸い上げるという考えまで及ばないといったセキュリティ意識の低さや、ＯＳ上から削除するだけの安易なデータ消去手段がとられることが多かったためである。さらにデータを完全に消去するツールは別途有償で購入しなければならない場合が多く、そこまでの手間および費用をかけることは敬遠されがちである。さらに、データ消去用ツールがそれほど一般的でないことも理由としてあげられる。また、サーバなどでは、装置固有の設定情報が装置自体に保存されており、市販の汎用的なツールでは削除できない点もその理由としてあげられる。また、サーバのリサイクルや保守用修理部材の再利用にあたり、個別設定データを初期出荷状態に戻す作業は、いくつもの特別な専用ツールの利用が必要などで比較的手間がかかり、工数の無駄という問題があった。
【０００６】
また、特殊な案件へのシステム導入に関し、装置の基本性能や装置構成そのものについても廃棄時に秘匿したい要求がある。
【０００７】
しかしながら、特殊なシステム案件に関して、廃棄時に装置基本性能や基本構成情報などを完全に秘匿したいという要望に対しても、単体でのガードは困難であったり、別途特注的な改造が必要などで、価格が高くなってしまうという問題がある。
【０００８】
このような要求に答えるために、廃棄やリサイクルの際に、簡便かつ確実に記憶媒体に記憶保持されたデータの初期化を可能とする技術（データ消去機能実装システム）が、知られている（例えば、特許文献１参照）。また、パーソナルコンピュータ等の装置の廃棄処分時や売却時等における記憶情報の消去作業の負担を軽減し、管理者による消去実施結果の集中管理などを実現するようにした技術も、知られている（例えば、特許文献２参照）。特に、特許文献２には、オフライン方式で消去する場合に、消去対象の記憶情報が全ての記憶手段の全データであるか、指定された記憶手段のデータであるか、指定されたオペレーティング・システム等のプログラムであるかに応じて、消去機能を搭載したＢＩＯＳにより消去処理を行うようにしている。また、特許文献２では、ＢＩＯＳに工場出荷時に組み込まれる措置を施すことも記載されている。
【０００９】
特許文献１に示されている従来例は、汎用のアプリケーションでも消去可能なＨＤＤのみに対しての機能強化でしかない。
【００１０】
このような構成の場合、従来のシステムではＨＤＤに対してのみ消去処理を行っているため、サーバ装置によく設定される装置固有情報を削除することができず、セキュリティの観点で不安があった。換言すれば、特許文献１では、ＨＤＤの削除だけを対象としているため、セキュリティ観点では、機能的にそれだけでは不足と考えられる。また、修理再利用時などで、異なる環境で動作させる場合、装置情報リフレッシュ作業が必要であり、ベンダの専用の保守拠点で行うしかなく、通常、利用者側で行うことはできなかった。
【００１１】
一方、特許文献２では、ＢＩＯＳ自身の消去機能については何ら開示されていないので、少なくとも、再利用が完全に不可能になる手段が提供されていない。その理由は、オペレーティング・システムは再インストールなり、削除したＤＩＳＣ情報を復旧すれば回復できるからである。
【００１２】
【特許文献１】特開２００３−１８６７５０号公報
【特許文献２】特開２００３−３３０８０６号公報
【発明の開示】
【発明が解決しようとする課題】
【００１３】
第１の問題点は、装置個別仕様のデバイスにユーザのプライベート情報である装置設定情報を保存していることである。この理由は、一般の消去ツールでは、対応しきれなくなってしまうためである。
【００１４】
第２の問題点は、初期出荷状態に戻すのが面倒ということである。この理由は、別途オペレーティング・システムが必要であったり、ベンダ専用のツールを使って初期化する必要があったり、ベンダの保守拠点や保守員でしか作業できないケースもあるためである。
【００１５】
第３の問題点は、利用者のセキュリティ意識が低いことである。この理由は、簡単にデータ消去／初期化できるツールが装置に組み込まれていないので、プライベート設定情報を特に意識せず、消去しないまま廃棄してしまうためである。
【００１６】
本発明の目的は、情報処理装置を起動不可状態とすることができる、データ消去装置およびデータ消去方法を提供することにある。
【００１７】
本発明の他の目的は、ＢＩＯＳでの消去環境をサーバ装置単体で提供することにある。
【課題を解決するための手段】
【００１８】
本発明は、サーバのユーザ設定機能であるＢＩＯＳセットアップユーティリティ内に、各種装置情報の消去／初期化をする機能を追加し、また、ＢＩＯＳそのものについてもデータ消去を行うことで、情報処理装置を起動不可状態とすることができる。このため、別途データ消去用のツールや装置起動を保護するセキュリティ機器を特別に準備せずとも、ＢＩＯＳでの消去環境をサーバ装置単体で提供することで、作業効率の大幅向上、セキュリティを満足する環境が成り立つ。
【００１９】
本発明の第１の態様によれば、データ消去機能を持つ基本入出力システムによって情報処理装置のデータの消去処理を行うデータ消去装置であって、基本入出力システムは、データ消去機能を使用して、複数のデータ消去レベルのうちの１つを選択してデータの消去処理が実行可能であり、複数のデータ消去レベルの内の最高消去レベルは、基本入出力システム自身をも破壊する完全廃棄消去レベルであり、この完全廃棄消去レベルが選択された場合には、基本入出力システムは、データ消去機能を使用して当該基本入出力システム自身をも破壊して、情報処理装置を起動不可能とすることを特徴とするデータ消去装置が得られる。
【００２０】
上記本発明の第１の態様におけるデータ消去装置において、複数のデータ消去レベルの内の最低消去レベルは、ハードディスクドライブのデータのみを消去するレベルであって良い。また、複数のデータ消去レベルの内の中位消去レベルは、ハードディスクドライブのデータを消去すると共に、装置設定情報を出荷直後の設定情報に書き換えるレベルであって良い。
【００２１】
本発明の第２の態様によれば、データ消去機能を持つ基本入出力システムによって情報処理装置のデータの消去処理を行うデータ消去方法であって、利用者に装置情報消去／初期化メニューを提示して複数のデータ消去レベルの１つを指定させる指定ステップであって、複数のデータ消去レベルは、ハードディスクドライブのデータのみを消去する最低消去レベルと、ハードディスクドライブのデータを消去すると共に、装置設定情報を出荷直後の設定情報に書き換える中位消去レベルと、基本入出力システム自身をも破壊する最高消去レベルとを少なくとも含む、前記指定ステップと、複数のデータ消去レベルの内、利用者によって指定された消去レベルのデータ消去を実行する実行ステップとを含むデータ消去方法が得られる。
【００２２】
本発明の第２の態様におけるデータ消去方法において、指定ステップにおいて最高消去レベルが指定された場合、実行ステップは、データ消去機能を使用して当該基本入出力システム自身をも破壊して、情報処理装置を起動不可能とする。また、指定ステップにおいて最低消去レベルが指定された場合、実行ステップは、データ消去機能を使用してハードディスクドライブ内に格納されたデータの完全消去を実行する。更に、指定ステップにおいて中位消去レベルが指定された場合、実行ステップは、データ消去機能を使用してハードディスクドライブのデータ消去に加えて、装置設定情報を出荷直後の設定情報に書き換える。
【００２３】
本発明の第３の態様によれば、情報処理装置のデータの消去処理を行うデータ消去機能を持つ基本入出力システムであって、情報処理装置に、利用者に装置情報消去／初期化メニューを提示して複数のデータ消去レベルの１つを指定させる指定機能であって、複数のデータ消去レベルは、ハードディスクドライブのデータのみを消去する最低消去レベルと、ハードディスクドライブのデータを消去すると共に、装置設定情報を出荷直後の設定情報に書き換える中位消去レベルと、基本入出力システム自身をも破壊する最高消去レベルとを少なくとも含む、前記指定機能と、複数のデータ消去レベルの内、利用者によって指定された消去レベルのデータ消去を実行する実行機能とを実現させるための基本入出力システムが得られる。
【００２４】
本発明を実現する具体的な装置構成によると、標準的なシステムを構成するコンピュータ装置（情報処理装置）は、プロセッサと、コンピュータ装置の初期診断や基本標準入出力、セットアップ設定機能を提供するＢＩＯＳが格納されたフラッシュＲＯＭと、コンピュータ装置の設定情報などを格納するＣＭＯＳと、外部ネットワークと接続されるＬＡＮインターフェースと、標準的な表示装置であるＣＲＴと、標準的な入力装置であるキーボードと、標準的な動作メモリであるメインメモリと、外部記憶装置であるＨＤＤとを有している。
【００２５】
ＢＩＯＳは、電源投入直後のＰＯＳＴと呼ばれる診断フェーズにて、セットアップユーティリティ起動キーが押されたら、ＢＩＯＳセットアップユーティリティを起動する。このＢＩＯＳセットアップユーティリティでは、装置コンフィグ情報の変更などが可能であり、サーバにおいては、各種マネジメント設定や情報表示にも利用される。本ＢＩＯＳセットアップユーティリティ内に、上記で説明したデータ消去用メニューを追加し、本データ消去用メニューを利用者に選択させることで、ＨＤＤ内に格納されたデータの物理消去プログラムの実行や、ＣＭＯＳ内の設定情報、ＢＩＯＳ自身が格納されているフラッシュＲＯＭ内の装置設定情報など、あらゆるハードウェア（ＨＷ）に格納された、多くのＢＩＯＳのみが知りえるプライベート情報を削除、もしくは初期状態へ戻すことで、作業の効率化、廃棄／再利用時の安全性を確保する。
【００２６】
これにより、特別な知識を必要とせず、ユーザは簡易に安全なデータ消去を実行でき、保守員や工場作業員は初期出荷状態へ戻すことが可能となる。
【発明の効果】
【００２７】
第１の効果は、廃棄時の費用を削減することができることにある。その理由は、データ消去ツールを別途用意しなくても、本体装置ＢＩＯＳ内に用途に応じたデータ削除ツールが含まれているためである。
【００２８】
第２の効果は、廃棄時の利用者の作業時間短縮ができることにある。その理由は、オペレーティング・システムを必要とせず、ＢＩＯＳから直接起動することが可能なことと、単純なメニューにより簡易な操作でデータ消去が可能なためである。
【００２９】
第３の効果は、情報漏洩観点でのセキュリティを強化できることにある。その理由は、通常、一般のアプリケーションではアクセスできない、装置固有仕様となるデバイスにアクセスを行えるＢＩＯＳが情報消去を行うためである。
【００３０】
第４の効果は、システムの構成や性能といった情報すら与えたくない廃棄に関して、完全に保護できることにある。その理由は、装置の起動処理を行うＢＩＯＳを破壊し、起動不可能とできるためである。
【発明を実施するための最良の形態】
【００３１】
次に、本発明の実施の形態について図面を参照して詳細に説明する。
【００３２】
図１を参照すると、本発明の実施の形態によるデータ消去装置（装置データリフレッシュシステム）は、プロセッサ１０１と、フラッシュＲＯＭ１０２と、ＣＭＯＳ１０３と、ＬＡＮインターフェース１０４と、ＣＲＴ１０５と、キーボード１０６と、メインメモリ１０７と、ＨＤＤ１０８と、それらを接続するバス１００とを有する。
【００３３】
フラッシュＲＯＭ１０２には、情報処理装置の初期診断や基本標準入出力やセットアップ設定機能を提供するＢＩＯＳが格納されている。ＣＭＯＳ１０３には、情報処理装置の設定情報などが格納されている。ＬＡＮインターフェース１０４は、外部ネットワークと接続されている。ＣＲＴ１０５は、標準的な表示装置である。キーボード１０８は、標準的な入力装置である。メインメモリ１０７は、標準的な動作メモリである。ＨＤＤ１０８は、外部記憶装置である。
【００３４】
フラッシュＲＯＭ１０２には、データ消去プログラムおよび、それらの実行を促すためのメニューが組み込まれたＢＩＯＳセットアップユーティリティが格納されている。表示装置１０５は、ＢＩＯＳセットアップユーティリティを表示する。入力装置１０６によって利用者はデータの消去／初期化を指示する。これによって、ＢＩＯＳは、ＨＤＤ１０８内に格納されたデータを全エリアに渡ってダミーデータWriteにより削除実行し、完全にデータ復帰させないように、再度ALL00ｈデータでクリアを実行する。また、ＢＩＯＳは、ＣＭＯＳ１０３に格納された装置個別情報定義を削除し、フラッシュＲＯＭ１０２に格納された定義情報についても同様に削除する。ＣＭＯＳの特殊ＢＡＮＫやフラッシュＲＯＭへのアクセス方法は、装置個別仕様となるため、市販の一般ツールでは対応できず、ＢＩＯＳ独自の機能となる。
【００３５】
次に、図２のフローチャートを参照して、本実施の形態に係るデータ消去装置（装置データリフレッシュシステム）の全体動作について詳細に説明する。
【００３６】
電源ＯＮ（ステップＳ１）後、装置が動作するための基本的な処理（各デバイス初期化、基本入出力装置初期化、etc）が完了し、キーボード１０６入力を受付可能となった時点で、ＢＩＯＳセットアップユーティリティを起動するためのHotkeyが押される（ステップＳ２）。ここで、「セットアップ」とは、ＯＳやアプリケーションなどのソフトウェアをハードディスクなどの外部記憶装置に組み込み、動作に必要な初期設定を行うことをいう。また「ユーティリティ」とは、主にコンピュータの機能や操作性などを改善するためのソフトウェアのことをいう。ユーティリティはＯＳやアプリケーションの機能の不十分な面を補う。
【００３７】
ＰＯＳＴが完了した時点(ステップＳ３)で、セットアップ起動要求がなければ（ステップＳ４のＮｏ）、通常BootによりＯＳ起動をトライする（ステップＳ５）。ここで、Bootとは、スイッチ投入後、オペレーティング・システムを情報処理装置にロードすることをいう。
【００３８】
一方、セットアップの起動要求があれば（ステップＳ４のＹｅｓ）、ＢＩＯＳはＢＩＯＳセットアップユーティリティを起動し（ステップＳ６）、利用者は、装置情報消去/初期化メニューを選択し、データ削除レベル（データ消去レベル）を指定する(ステップＳ７)。
【００３９】
データ削除レベル（データ消去レベル）は、図３（Ａ）に示されるように、ＨＤＤデータのみを削除（消去）する最低消去レベル、ＣＭＯＳ／フラッシュＲＯＭ情報も含めた装置設定情報を削除（消去）する(初期出荷状態への変更する)中位消去レベル、ＢＩＯＳ自身も含めた完全削除（消去）をする最高消去レベルの３レベル程度のメニューからなる。これら３レベル程度のメニューは、それぞれ、部門内再利用、外部利用(保守利用)、完全廃棄というように、リフレッシュ／廃棄レベルによって選択される（ステップＳ８）。キャンセルされた場合は、本メニューから抜け、一つ前のメニューに戻る。
【００４０】
データ削除レベル（データ消去レベル）を選択した場合は、同様に図３（Ｂ）に示されるように、誤操作によるデータ消去を防ぐため、選択された削除レベル（消去レベル）の確認と、削除実行することに対するリスクを提示し、本当にデータを消去するのか確認を求める（ステップＳ９）。キャンセルであれば、一つ前のメニューに戻る。指定されたデータ消去レベルの削除（消去）が選択された場合、ＢＩＯＳは、後述するように、指定されたデータ消去レベルのデータ消去を実行する（ステップＳ１０）。
【００４１】
指定されたデータ消去レベルがもっともレベルの低いデータ消去（最低消去レベル）であるとする。この場合、ＨＤＤ１０８内に格納されたデータの完全消去をＢＩＯＳからＨＤＤデバイスに対して、ＢＩＯＳが提供しているDISK Service Functionを用いて、ダミーデータの書き込み後、全面初期化を行い、完全消去する。これは単に全面初期化だけだと、データ復帰方法が存在するケースがあるためである。
【００４２】
指定されたデータ消去レベルがレベル中位の消去（中位消去レベル）であって、レベル中位の消去が実行されたとする。この場合は、ＢＩＯＳは、ＨＤＤ１０８のデータ消去に加えて、ＣＭＯＳ１０３／フラッシュＲＯＭ１０２に格納されている装置構成（configuration）情報を、フラッシュＲＯＭ１０２内に格納されている出荷直後の設定情報に書き換える。これにより、ユーザ個別の設定として定義されていたコールバック用電話番号やパスワード情報、運用情報ＬＯＧなどの各種プライベート情報が、クリア／完全初期化される。
【００４３】
最後に、指定されたデータ消去レベルがレベル高位の消去（最高消去レベル）であって、レベル高位の消去が実行されとする。この場合については、目的が装置自身の再利用不可としたガードをかけるべき廃棄となるので、ＢＩＯＳは、これまでのデータ消去機能に追加して、フラッシュＲＯＭ１０２内のＢＩＯＳ自身をも破壊し、装置そのものが起動しないように完全な保護をかける。
【００４４】
尚、本発明は次に述べるような用途に適用可能である。第１に、再利用や廃棄時のデータ消去／初期化を実現するためのプログラムを組み込む必要のあるサーバ分野の装置において適用できる。第２に、サーバ設定情報を初期化する必要のある保守再利用時の再設定や、初期出荷時の不定情報をセットアップするといった用途にも適用可能である。第３に、秘密保護の観点で装置自身を再利用させたくない場合に、起動不可にするといった用途にも適用可能である。
【図面の簡単な説明】
【００４５】
【図１】本発明の一実施の形態に係るＢＩＯＳによるデータ消去装置（装置データリフレッシュシステム）の構成を示すブロック図である。
【図２】図１に図示したデータ消去装置（装置データリフレッシュシステム）の動作を説明するために用いられるフローチャートである。
【図３】データ削除レベルの画面（Ａ）とデータ削除レベルを選択した場合の画面（Ｂ）の例を示す図である。
【符号の説明】
【００４６】
１００    バス
１０１    プロセッサ
１０２    フラッシュＲＯＭ
１０３    ＣＭＯＳ
１０４    ＬＡＮインターフェース
１０５    表示装置（ＣＲＴ）
１０６    入力装置（キーボード）
１０７    メインメモリ
１０８    外部記憶装置（ＨＤＤ）
【図１】
2005301548.tif 000003
【図２】
2005301548.tif 000004
【図３】
2005301548.tif 000005